(57)【特許請求の範囲】
【請求項１】
一端側に外歯車の内筒ギヤ部を設けたスピンドル内筒と、前記内筒ギヤ部と嵌合する内歯車の外筒ギヤ部を設けたスピンドル外筒とが、その軸を０．６度乃至１．６度傾斜して成るギヤスピンドルにおいて、
前記内筒ギヤ部における歯幅Ｂの歯に、歯幅方向に沿って中央が膨らんで両歯端が肉薄となるような半径Ｃｒのクラウニングを設け、
前記歯幅Ｂと前記クラウニング半径Ｃｒとを、
Ｃｒ＝１２００［ｍｍ］と、
Ｃｒ＝４０００［ｍｍ］と、
Ｂ＝０．０２７２×Ｃｒ＋２８［ｍｍ］と、
Ｂ＝５９．０４×ｅｘｐ（０．０００５×Ｃｒ）［ｍｍ］と、
Ｂ＝３２×Ｃｒ0.247［ｍｍ］と
をグラフ化して囲んでなる範囲で設定することを特徴とするギヤスピンドル。
【請求項２】
Ｂ＝０．０２７２×Ｃｒ＋２８［ｍｍ］は、
０．６度の傾斜角での、任意のクラウニング半径Ｃｒと、当該クラウニング半径Ｃｒで前記内筒スピンドルの歯が歯端当たりを生じない最小歯幅でなる無数の交点を結んでなる直線であり、
Ｂ＝５９．０４×ｅｘｐ（０．０００５×Ｃｒ）［ｍｍ］は、
０．６度乃至１．６度の範囲における任意の傾斜角での、前記内筒ギヤ部に掛かる歯元曲げ応力が許容最大値となるクラウニング半径Ｃｒと、当該クラウニング半径Ｃｒで前記スピンドル内筒の歯が歯端当たりを生じない最小歯幅に４０［ｍｍ］を加えてなる無数の交点を結んでなる曲線であり、
Ｂ＝３２×Ｃｒ0.247［ｍｍ］は、
０．６度乃至１．６度の範囲における任意の傾斜角での、任意のクラウニング半径Ｃｒと、当該クラウニング半径Ｃｒで前記内筒スピンドルの歯が歯端当たりを生じない最小歯幅に４０［ｍｍ］を加えてなる歯幅Ｂとの組み合わせで必要となるバックラッシが、前記内筒ギヤ部と前記外筒ギヤ部における許容最大バックラッシとなる無数の交点を結んでなる曲線である
ことを特徴とする請求項１に記載のギヤスピンドル。
【請求項３】
一端側に外歯車の内筒ギヤ部を設けたスピンドル内筒と、前記内筒ギヤ部と嵌合する内歯車の外筒ギヤ部を設けたスピンドル外筒とが、その軸を０．６度乃至１．６度傾斜して成るギヤスピンドルにおいて、
前記内筒ギヤ部における歯に、歯幅方向に沿って中央が膨らんで両歯端が肉薄となるような半径Ｃｒのクラウニングを設け、
前記歯幅Ｂと前記クラウニング半径Ｃｒとを、
Ｃｒ＝１２００［ｍｍ］と、
Ｃｒ＝４０００［ｍｍ］と、
Ｂ＝０．０２７２×Ｃｒ＋２８［ｍｍ］と、
Ｂ＝１８×ｅｘｐ（０．００１×Ｃｒ）［ｍｍ］と、
Ｂ＝１９×Ｃｒ0.292［ｍｍ］と
をグラフ化して囲んでなる範囲で設定することを特徴とするギヤスピンドル。
【請求項４】
Ｂ＝０．０２７２×Ｃｒ＋２８［ｍｍ］は、
０．６度の傾斜角での、任意のクラウニング半径Ｃｒと、当該クラウニング半径Ｃｒで前記内筒スピンドルの歯が歯端当たりを生じない最小歯幅でなる無数の交点を結んでなる直線であり、
Ｂ＝１８×ｅｘｐ（０．００１×Ｃｒ）［ｍｍ］は、
０．６度乃至１．６度の範囲における任意の傾斜角での、前記内筒ギヤ部に掛かる歯元曲げ応力が許容最大値となるクラウニング半径Ｃｒと、当該クラウニング半径Ｃｒで前記スピンドル内筒の歯が歯端当たりを生じない最小歯幅でなる無数の交点を結んでなる曲線であり、
Ｂ＝１９×Ｃｒ0.292［ｍｍ］は、
０．６度乃至１．６度の範囲における任意の傾斜角での、任意のクラウニング半径Ｃｒと、当該クラウニング半径Ｃｒで前記内筒スピンドルの歯が歯端当たりを生じない最小歯幅との組み合わせで必要となるバックラッシが、前記内筒ギヤ部と前記外筒ギヤ部における許容最大バックラッシとなる無数の交点を結んでなる曲線である
ことを特徴とする請求項３に記載のギヤスピンドル。
【請求項５】
歯面に、ショットブラスト加工を施したことを特徴とする請求項１乃至請求項４のいずれか一項に記載のギヤスピンドル。
【請求項６】
歯面に、リン酸マンガン皮膜処理を施したことを特徴とする請求項１乃至請求項４のいずれか一項に記載のギヤスピンドル。
【請求項７】
歯面に、二硫化モリブデン皮膜処理を施したことを特徴とする請求項１乃至請求項４のいずれか一項に記載のギヤスピンドル。
【請求項８】
スピンドル外筒とスピンドル内筒の外表面に、冷却用流体を噴き付けることで、歯面潤滑剤およびスピンドル外筒とスピンドル内筒の各歯面を強制冷却することを特徴とする請求項１乃至請求項７のいずれか一項に記載のギヤスピンドル。
【請求項９】
前記内筒ギヤ部におけるピッチ円直径をＤP［ｍｍ］、
ギヤ圧力角をα［度］、
ギヤモジュールをＭｎ［ｍｍ］、
クラウニング半径をＣｒ［ｍｍ］、
歯幅をＢ［ｍｍ］、
前記内筒スピンドルの歯端部から首部へ移る部位の最小直径をｄ［ｍｍ］、
歯先に設けた円弧形状の曲率半径をＲ＝Ｃｒ×ｔａｎα［ｍｍ］
とし、
【数１】
0005575213.tif 000004
とすることを特徴とする請求項１乃至請求項８のいずれか一項に記載のギヤスピンドル。
【請求項１０】
被圧延材を圧延するための上下一対のワークロールと、上下一対のワークロールとそれぞれ独立して連結し、上下一対のワークロールへそれぞれ独立して回転動力を伝達する上下一対のギヤスピンドルと、上下一対のギヤスピンドルと連結する変速機と、変速機と連結し、変速機へ回転動力を伝達するギヤカップリングと、ギヤカップリングと連結し、ギヤカップリングへ回転動力を供給する電動機とを備える圧延機において、
前記ギヤスピンドルが、請求項１乃至請求項９のいずれか一項に記載のギヤスピンドルであることを特徴とする圧延機。
【発明の詳細な説明】
【技術分野】
【０００１】
本発明は、ギヤスピンドルおよびそれを備えた圧延機に関する。
【背景技術】
【０００２】
圧延機のワークロールは電動機により回転駆動される。電動機による回転駆動力は、分配機能を有する変速機、一対のスピンドルを介して上下の一対のワークロールに伝えられる。
【０００３】
スピンドルは、圧延条件等の使用環境によって使い分けされている。例えば、一般的な硬度の材料を圧延する圧延機においてはＵＪスピンドル（Ｕｎｉｖｅｒｓａｌ  Ｊｏｉｎｔ、別称：プロペラシャフト）が使用され、比較的高硬度な材料（例えば、４０％圧下変形抵抗値が約７０[ｋｇ／ｍｍ2]の材料）を圧延する高硬度材圧延用圧延機においてはギヤスピンドルが使用される。
【０００４】
自動車等の構造体における高強度化や軽量化を目的として、更なる高硬度材である高抗張力鋼（別称ハイテン材、例えば、４０％圧下変形抵抗値が約１３０[ｋｇ／ｍｍ2]の材料）が開発されている。よって、高抗張力鋼を圧延する高抗張力鋼圧延用圧延機が求められ、それに伴い、高抗張力鋼圧延用圧延機に供する高性能なギヤスピンドルが求められている。この高抗張力鋼圧延用圧延機に供することのできる高性能のギヤスピンドルには、以下に記載の（１）、（２）、（３）の条件が必要とされる。
【０００５】
（１）小径であること。
高抗張力鋼圧延用圧延機においては、圧延力の増大を抑えるために通常より小径のワークロールを使用する。ワークロールは上下一対で成り、それぞれ独立してギヤスピンドルと連結され、ギヤスピンドルを介して圧延動力（回転動力）が伝達されることにより回転駆動される。よって、ギヤスピンドルはワークロールと同様に上下一対で成り、ギヤスピンドルにおけるワークロールとの連結部を、上下一対に設置されるギヤスピンドル同士が干渉しないようにワークロール径より小さい径とする必要がある。
【０００６】
例えば、高硬度材圧延用圧延機においては、ワークロール径ＤW＝３３０［ｍｍ］、ギヤスピンドル外径Ｄ＝３２５［ｍｍ］であるのに対し、高抗張力鋼圧延用圧延機においては、圧延力を制限するためにワークロール径ＤW＝２５０［ｍｍ］となり、ギヤスピンドルは上下で干渉しないようにギヤスピンドル外径Ｄ＝２４５［ｍｍ］が求められる。
【０００７】
ここで、ワークロール径ＤWは、使用可能最小径である。ワークロールは、圧延に供するにつれて、表面が被圧延材との接触で摩耗すると共に、度々表面を研磨機で研磨するために、ワークロール径ＤWは使用に伴い徐々に細くなる。このワークロールの最大径と最小径との差は一般的には約１０％前後である。
【０００８】
（２）大きいトルクを伝達できること。
圧延機における圧延トルクＴは、被圧延材の変形抵抗値Ｆとワークロール径ＤWに左右されるので、Ｔ∝ｆ（Ｆ）＋ｆ（ＤW）となる。前述したように、高抗張力鋼圧延用圧延機におけるワークロール径ＤWは、高硬度材圧延用圧延機におけるワークロール径ＤWに比べ小さく、高抗張力鋼の変形抵抗値は、従来の高硬度材の変形抵抗値に比べ格段に大きいので、高抗張力鋼の圧延に必要となる圧延トルクは、従来の高硬度材の圧延に必要となる圧延トルクに比べて大きくなる。
【０００９】
例えば、従来の高硬度材圧延用圧延機のギヤスピンドルにおける許容伝達トルクＴaの強度指数Ｔ／Ｄ3（Ｔ：ギヤスピンドル一本当たりの必要伝達トルク[ｔｏｎ・ｍ]、Ｄ：ギヤスピンドル外径［ｍｍ］）は、Ｔ／Ｄ3≦０．４[ｔｏｎ／ｍ2]であるのに対し、高抗張力鋼圧延用圧延機のギヤスピンドルにおける許容伝達トルクＴaの強度指数Ｔ／Ｄ3は、Ｔ／Ｄ3≒０．６〜０．８[ｔｏｎ／ｍ2]である。このように、被圧延材の変形抵抗値が増大すると、許容伝達トルクＴaの強度指数Ｔ／Ｄ3も増大する。（伝達トルクＴの強度指数Ｔ／Ｄ3[ｔｏｎ／ｍ2]は、「×１０9」を省略した記載である。本来の記載は、ギヤスピンドル外径Ｄ［ｍｍ］をギヤスピンドル外径Ｄ×１０-3[ｍ]に単位換算して代入するので、（Ｔ／Ｄ3）×１０9[ｔｏｎ／ｍ2]となる。以下、本明細書においては、ギヤスピンドル外径Ｄ［ｍｍ］に対する伝達トルクＴの強度指数を上記と同様の省略記載のＴ／Ｄ3[ｔｏｎ／ｍ2]とする。）
【００１０】
（３）高速回転できること。
圧延機の生産能力は、板厚と板幅と圧延速度の乗数で表される。一般に、被圧延材の板厚および板幅を一定として生産を行い、圧延機の生産能力は圧延速度に依存する。圧延機の圧延速度Ｖは、ワークロール径ＤWとワークロール回転数Ｎに左右されるので、Ｖ∝ＤW×Ｎとなる。前述したように、高抗張力鋼圧延用圧延機におけるワークロール径ＤWは、高硬度材圧延用圧延機におけるワークロール径ＤWに比べて小さいため、同じ回転数Ｎでは必然的に圧延速度Ｖが低下し、圧延機の生産能力も低下する。よって、高抗張力鋼圧延用圧延機においては、高硬度材圧延用圧延機と同等の生産能力を確保するために、高硬度材圧延用圧延機よりも高速でワークロールを回転させる必要がある。つまり、高抗張力鋼圧延用圧延機においては、高速回転が可能なギヤスピンドルが求められる。
【００１１】
例えば、ワークロール径ＤW３３０［ｍｍ］のワークロールを有する従来の高硬度材圧延用圧延機においては、圧延速度２０００[ｍｐｍ]の生産能力を得るために、ギヤスピンドルとしては１９３０[ｒｐｍ]の回転数に対応できる仕様が求められた。しかし、小径化されたワークロール径ＤW２５０［ｍｍ］の高抗張力鋼圧延用圧延機においては、前記と同等の圧延速度２０００[ｍｐｍ]の生産能力を得るために、ギヤスピンドルとしては従来の約１．３倍である２５４６[ｒｐｍ]の回転数に対応できる高回転仕様が求められる。
【００１２】
一般的に、回転体が高速回転になると、回転体には撓み振動・ガタ振動・捩り振動などが発生し、共振などによって回転体に大きな影響を与えることが知られている。圧延機においては、共振すれば回転体であるギヤスピンドルが破損し易くなるのみならず、共振に至らずとも振動が被圧延材に伝わるので、板厚の不均一や板の形状悪化や表面性状悪化となって現れ、被圧延材の品質を著しく損なう原因となる。そこで、高速回転に対応できるギヤスピンドルとして、振動を起き難くする必要がある。具体的には、軽量で、長さが短く、バックラッシ等のギャップが小さいギヤスピンドルが求められる。
【００１３】
例えば、ギヤスピンドルなど回転体の振動し易さを示す共振回転数Ｎｃは、回転体の外径Ｄと回転体の長さＬに左右されるので、Ｎｃ∝ｆ（Ｄ）／ｆ（Ｌ）となる。つまり、回転体の外径が小さいほど共振し易く、回転体の長さが長いほど共振し易くなる。
【００１４】
上述した高抗張力鋼圧延用ギヤスピンドルに求められる機能は、他の機能を阻害する問題を抱えている。
【００１５】
ギヤスピンドルの許容伝達トルクＴaは、ギヤスピンドルを使用する際の傾斜角θとギヤスピンドル外径Ｄに依存する。傾斜角θが小さくギヤスピンドル外径Ｄが大きいほど、ギヤスピンドルの許容伝達トルクＴaは大きくなるので、Ｔa∝ｆ（Ｄ）／ｆ（θ）となる。ギヤスピンドルは一方を変速機に連結され、他方をワークロールに連結されて回転するので、ワークロールの軸の高さと変速機の軸の高さが同一であれば、ギヤスピンドルの傾斜角θ＝０°となり、強度上最適な条件となる。
【００１６】
しかし、高抗張力鋼圧延用圧延機の場合、ワークロール径は圧延荷重の制限で通常より細くせざるを得ず、一方、変速機は高トルク伝達用に大型化せざるを得ない。よって、変速機の軸心高さとワークロール軸心高さの偏差が従来に比べ大きくなるので、高抗張力鋼圧延用ギヤスピンドルの傾斜角θは通常のギヤスピンドルに比べ大きくならざるを得ない。このことは、ギヤスピンドルの許容伝達トルクが通常より小さくなることを示す。
【００１７】
これを回避する、つまり、両軸心高さ偏差ΔＨが大きくても、ギヤスピンドル傾斜角θを通常かそれ以下にするためには、ｔａｎθ＝ΔＨ／Ｌから解るとおり、ギヤスピンドル長さＬを長くして、両軸心高さ偏差ΔＨの増大によるギヤスピンドル傾斜角θの増大を抑える必要がある。しかし、高抗張力鋼圧延用ギヤスピンドルは外径が細いことにより振動し易い上に、ギヤスピンドル長さＬを長くすると、更に振動が発生し易くなるという問題に直面する。よって、現状の技術では実現困難といえる。
【００１８】
なお、今後は高抗張力鋼よりも更に高硬度な超高抗張力鋼が開発され、超高抗張力鋼を圧延するための圧延機およびそれに対応できる更に高性能なギヤスピンドルが要求されると考えられる。つまり、上記（１）、（２）、（３）の条件において、従来に比して更なる小径化、許容伝達トルクの増大および高速回転への対応が必要となる。
【先行技術文献】
【特許文献】
【００１９】
【特許文献１】特開平８−２１４５３号公報
【発明の概要】
【発明が解決しようとする課題】
【００２０】
比較的高硬度な材料を圧延する圧延機におけるギヤスピンドルとしては、例えば特許文献１がある。これは、油室に潤滑油給油穴および給油量検出穴を設けることで、潤滑油がシール部材を圧迫することによってシール部材を破損しないようにすると共に、シール部材の破損箇所から潤滑油が漏洩する虞をなくし、潤滑油の補給およびシール部材の交換による作業時間を短縮することができる技術である。
【００２１】
また、内筒に設けられている外歯が損傷することを想定し、内筒を、外歯を有するハブとギヤスピンドルとに分割し、その間をスプラインにて着脱自在な構造としている。この分割構造により、ギヤスピンドル強度が若干低下する可能性があるが、そのデメリットよりも内筒外歯の破損時に早急に交換することを優先したものである。
【００２２】
しかし、前述したように、超高抗張力鋼の圧延には、従来に比べ更なる高強度かつ小径のギヤスピンドルが求められるため、従来のギヤスピンドルでは対応できない。
【００２３】
ギヤスピンドルの目的の一つは両側（ワークロール側と変速機側）の高さ方向における軸心偏差（ΔＨ）を許容して回転することにある。そのため、外筒の内歯は平歯であるが、内筒の外歯には歯の中央が両端に比べ厚いクラウニングが施されている。このクラウニングは、軸心偏差（ΔＨ）によりカップリングの内筒と外筒の歯が干渉して、カップリングがロックすることを防止している。そのため、従来では、ロックの余裕度を大きく確保することを優先し、クラウニング半径はあまり大きくない方が良いとされてきた。
【００２４】
ギヤスピンドルの許容伝達トルクを決定付ける要因として、歯面面圧、歯元曲げ応力、ＰＶ値が挙げられるが、近年における歯面熱処理の進歩、具体的には調質処理から窒化処理や高周波処理や浸炭処理への進歩により歯面面圧強度は大きく改善された。よって、現在の許容伝達トルクを決定付ける要因は、歯元曲げ応力とＰＶ値であり、この面での進歩が求められている。
【００２５】
従来から、歯元曲げ応力σを決める主要パラメータは、トルクＴ、傾斜角θ、ギヤスピンドル外径Ｄ、歯幅Ｂであり、σ∝Ｔ×ｆ（θ）／（Ｄ2×Ｂ）と考えられている。つまり、クラウニング半径は歯元強度パラメータとしてみなされてこなかった。
【００２６】
しかし、ギヤカップリングの外筒の内歯は平歯であるのに対し、内筒の外歯には歯幅方向にクラウニングが施されているので、ギヤスピンドルにおける歯車は、歯幅方向に平板と円柱を合わせたような接触モデルとなっている。つまり、外筒と内筒における歯は、ヘルツ扁平の領域でしか接しておらず、歯幅全体で負荷を負担しているわけではない。よって、歯元曲げ応力σは、σ∝Ｔ×ｆ（θ）／（Ｄ2×Ｂｈ）となる。ここで、Ｂｈは有効歯幅Ｂｈ＝ｆ（Ｃｒ、Ｔ）であり、クラウニング半径Ｃｒと負荷トルクＴに依存する。また、一般には、０＜Ｂｈ／Ｂ≪１．０である。
【００２７】
つまり、クラウニング半径Ｃｒは歯元強度の重要なパラメータであり、クラウニング半径Ｃｒを大きくすると歯が扁平し易くなり、歯のピッチ円直径上での歯幅方向の負荷範囲が広くなり、しいては歯元の負荷分担範囲が広くなるので、歯元強度は格段に向上する。
【００２８】
一方、クラウニング半径Ｃｒを不必要なまでに大きくすると、必要歯幅や必要バックラッシが大きくなり、高速回転に支障が生じると共に、ギヤスピンドルの歯以外の部位の強度低下を招き、ギヤスピンドル全体としての能力低下をきたすので、前述したような高抗張力鋼圧延用ギヤスピンドルに求められる条件を満たすことができない。
【００２９】
本発明は、上記のような問題に鑑みてなされたもので、クラウニング半径と歯幅の最適な組み合わせを選定することで、高速圧延が可能、かつ歯面面圧強度、歯元曲げ強度およびＰＶ値を改善することを目的とする。
【００３０】
ギヤスピンドルは、ギヤのピッチ円直径により強度を決めていたが、本発明は、ギヤのクラウニング半径を大きくすることでギヤの強度が上がるという知見を得て、従来考慮されていなかったバックラッシ量と歯元曲げ応力とを同時に考慮した高速・高強度の小径スピンドルを達成した。
【課題を解決するための手段】
【００３１】
上記課題を解決する第一の発明に係るギヤスピンドルは、一端側に外歯車の内筒ギヤ部を設けたスピンドル内筒と、前記内筒ギヤ部と嵌合する内歯車の外筒ギヤ部を設けたスピンドル外筒とが、その軸を０．６度乃至１．６度傾斜して成るギヤスピンドルにおいて、前記内筒ギヤ部における歯幅Ｂの歯に、歯幅方向に沿って中央が膨らんで両歯端が肉薄となるような半径Ｃｒのクラウニングを設け、前記歯幅Ｂと前記クラウニング半径Ｃｒとを、Ｃｒ＝１２００［ｍｍ］と、Ｃｒ＝４０００［ｍｍ］と、Ｂ＝０．０２７２×Ｃｒ＋２８［ｍｍ］と、Ｂ＝５９．０４×ｅｘｐ（０．０００５×Ｃｒ）［ｍｍ］と、Ｂ＝３２×Ｃｒ0.247［ｍｍ］とをグラフ化して囲んでなる範囲で設定することを特徴とする。
【００３２】
上記課題を解決する第二の発明に係るギヤスピンドルは、第一の発明において、Ｂ＝０．０２７２×Ｃｒ＋２８［ｍｍ］は、０．６度の傾斜角での、任意のクラウニング半径Ｃｒと、当該クラウニング半径Ｃｒで前記内筒スピンドルの歯が歯端当たりを生じない最小歯幅でなる無数の交点を結んでなる直線であり、Ｂ＝５９．０４×ｅｘｐ（０．０００５×Ｃｒ）［ｍｍ］は、０．６度乃至１．６度の範囲における任意の傾斜角での、前記内筒ギヤ部に掛かる歯元曲げ応力が許容最大値となるクラウニング半径Ｃｒと、当該クラウニング半径Ｃｒで前記スピンドル内筒の歯が歯端当たりを生じない最小歯幅に４０［ｍｍ］を加えてなる無数の交点を結んでなる曲線であり、Ｂ＝３２×Ｃｒ0.247［ｍｍ］は、０．６度乃至１．６度の範囲における任意の傾斜角での、任意のクラウニング半径Ｃｒと、当該クラウニング半径Ｃｒで前記内筒スピンドルの歯が歯端当たりを生じない最小歯幅に４０［ｍｍ］を加えてなる歯幅Ｂとの組み合わせで必要となるバックラッシが、前記内筒ギヤ部と前記外筒ギヤ部における許容最大バックラッシとなる無数の交点を結んでなる曲線であることを特徴とする。
【００３３】
上記課題を解決する第三の発明に係るギヤスピンドルは、一端側に外歯車の内筒ギヤ部を設けたスピンドル内筒と、前記内筒ギヤ部と嵌合する内歯車の外筒ギヤ部を設けたスピンドル外筒とが、その軸を０．６度乃至１．６度傾斜して成るギヤスピンドルにおいて、前記内筒ギヤ部における歯に、歯幅方向に沿って中央が膨らんで両歯端が肉薄となるような半径Ｃｒのクラウニングを設け、前記歯幅Ｂと前記クラウニング半径Ｃｒとを、Ｃｒ＝１２００［ｍｍ］と、Ｃｒ＝４０００［ｍｍ］と、Ｂ＝０．０２７２×Ｃｒ＋２８［ｍｍ］と、Ｂ＝１８×ｅｘｐ（０．００１×Ｃｒ）［ｍｍ］と、Ｂ＝１９×Ｃｒ0.292［ｍｍ］とをグラフ化して囲んでなる範囲で設定する。
【００３４】
上記課題を解決する第四の発明に係るギヤスピンドルは、第三の発明において、Ｂ＝０．０２７２×Ｃｒ＋２８［ｍｍ］は、０．６度の傾斜角での、任意のクラウニング半径Ｃｒと、当該クラウニング半径Ｃｒで前記内筒スピンドルの歯が歯端当たりを生じない最小歯幅でなる無数の交点を結んでなる直線であり、Ｂ＝１８×ｅｘｐ（０．００１×Ｃｒ）［ｍｍ］は、０．６度乃至１．６度の範囲における任意の傾斜角での、前記内筒ギヤ部に掛かる歯元曲げ応力が許容最大値となるクラウニング半径Ｃｒと、当該クラウニング半径Ｃｒで前記スピンドル内筒の歯が歯端当たりを生じない最小歯幅でなる無数の交点を結んでなる曲線であり、Ｂ＝１９×Ｃｒ0.292［ｍｍ］は、０．６度乃至１．６度の範囲における任意の傾斜角での、任意のクラウニング半径Ｃｒと、当該クラウニング半径Ｃｒで前記内筒スピンドルの歯が歯端当たりを生じない最小歯幅との組み合わせで必要となるバックラッシが、前記内筒ギヤ部と前記外筒ギヤ部における許容最大バックラッシとなる無数の交点を結んでなる曲線であることを特徴とする。
【００３５】
上記課題を解決する第五の発明に係るギヤスピンドルは、第一乃至第四のいずれかの発明において、歯面に、ショットブラスト加工を施したことを特徴とする。
【００３６】
上記課題を解決する第六の発明に係るギヤスピンドルは、第一乃至第四のいずれかの発明において、歯面に、リン酸マンガン皮膜処理を施したことを特徴とする。
【００３７】
上記課題を解決する第七の発明に係るギヤスピンドルは、第一乃至第四のいずれかの発明において、歯面に、二硫化モリブデン皮膜処理を施したことを特徴とする。
【００３８】
上記課題を解決する第八の発明に係るギヤスピンドルは、第一乃至第七のいずれかの発明において、スピンドル外筒とスピンドル内筒の外表面に、冷却用流体を噴き付けることで、歯面潤滑剤およびスピンドル外筒とスピンドル内筒の各歯面を強制冷却することを特徴とする。
【００３９】
上記課題を解決する第九の発明に係るギヤスピンドルは、第一乃至第八のいずれかの発明において、前記内筒ギヤ部におけるピッチ円直径をＤP［ｍｍ］、ギヤ圧力角をα［度］、ギヤモジュールをＭｎ［ｍｍ］、クラウニング半径をＣｒ［ｍｍ］、歯幅をＢ［ｍｍ］、前記内筒スピンドルの歯端部から首部へ移る部位の最小直径をｄ［ｍｍ］、歯先に設けた円弧形状の曲率半径をＲ＝Ｃｒ×ｔａｎα［ｍｍ］とし、
【数１】
0005575213.tif 000002
とすることを特徴とする。
【００４０】
上記課題を解決する第十の発明に係る圧延機は、被圧延材を圧延するための上下一対のワークロールと、上下一対のワークロールとそれぞれ独立して連結し、上下一対のワークロールへそれぞれ独立して回転動力を伝達する上下一対のギヤスピンドルと、上下一対のギヤスピンドルと連結する変速機と、変速機と連結し、変速機へ回転動力を伝達するギヤカップリングと、ギヤカップリングと連結し、ギヤカップリングへ回転動力を供給する電動機とを備える圧延機において、前記ギヤスピンドルが、第一の発明乃至第九のいずれかの発明に係るギヤスピンドルであることを特徴とする。
【発明の効果】
【００４１】
第一の発明に係るギヤスピンドルによれば、１２００［ｍｍ］≦Ｃｒ≦４０００［ｍｍ］は許容伝達トルクの向上が見込まれ且つ実用的に使用し得る範囲であり、この範囲内でクラウニング半径Ｃｒを設定することにより、スピンドル内筒の首部において破損する虞なく、許容伝達トルクを向上させることができる。クラウニング半径Ｃｒを大きくすると歯元の負荷分担範囲が広くなるので、歯元強度が向上する。すなわち、歯元の負荷分担範囲が広くなることにより、歯元強度が向上し、スピンドル強度（面圧、曲げ、ＰＶ値）の向上により、スピンドル傾斜角を必要以上に小さくする必要がなくなり、スピンドル長さを短くできるので、小径、高速回転用スピンドルが可能になる。なお、この範囲を外れてクラウニング半径Ｃｒを大きくすると、首部における首径ｄが小さくなり、首部における捩り応力が上昇するので、スピンドル内筒の首部に過大な負荷が掛かることになる。
【００４２】
第二の発明に係るギヤスピンドルによれば、Ｂ≦５９．０４×ｅｘｐ（０．０００５×Ｃｒ）［ｍｍ］は歯元曲げ応力が許容値を超えない状態であるので、歯元曲げ応力によって歯が折損することがなく、大きいトルクで回転動力を伝達することができる。さらに、Ｂ≦１９×Ｃｒ0.292［ｍｍ］はバックラッシ量が許容値を超えない状態であるので、バックラッシ量の過大により噛み合いが悪くなることなく、大きいトルクで回転動力を伝達することができる。
【００４３】
第三の発明に係るギヤスピンドルによれば、１２００［ｍｍ］≦Ｃｒ≦４０００［ｍｍ］は許容伝達トルクの向上が見込まれ且つ実用的に使用し得る範囲であり、この範囲内でクラウニング半径Ｃｒを設定することにより、スピンドル内筒の首部において破損する虞なく、許容伝達トルクを向上させることができる。なお、この範囲を外れてクラウニング半径Ｃｒを大きくすると、首部における首径ｄが小さくなり、首部における捩り応力が増大するので、スピンドル内筒の首部において破損する虞がある。
【００４４】
第四の発明に係るギヤスピンドルによれば、Ｂ≦１８×ｅｘｐ（０．００１×Ｃｒ）［ｍｍ］は歯元曲げ応力が許容値を超えない状態であるので、歯を折損させる虞なく、高速回転および大きい伝達トルクにも対応することができる。さらに、Ｂ≦３２×Ｃｒ0.247［ｍｍ］はバックラッシ量が許容値を超えない状態であるので、バックラッシ量の過大により噛み合いが悪くなることなく、高速回転および大きい伝達トルクにも対応することができる。また、歯の許容伝達トルクを減ずることなく、加工誤差や経年変化等の使用上の余裕を考慮しないので、更なるコスト削減や軽量化およびコンパクト化を図ることができる。
【００４５】
第五の発明に係るギヤスピンドルによれば、歯表面にデンプル状の微細窪みを生成し、その窪みに油を溜めることで油膜切れを防止することができ、内筒ギヤ部および外筒ギヤ部における歯面の焼付きを抑えることができる。よって、大きいトルクを伝達する場合にも歯面の焼付きが起こらないので、ギヤスピンドルにおける許容伝達トルクを更に向上させることができる。
【００４６】
第六の発明に係るギヤスピンドルによれば、多孔質な結晶体のため、皮膜に油の保持力があると共に初期馴染み性良好なため、摩擦熱の発生を抑えることができ、内筒ギヤ部および外筒ギヤ部における歯面の焼付きを抑えることができる。よって、大きいトルクを伝達する場合にも歯面の焼付きが起こらないので、ギヤスピンドルにおける許容伝達トルクを更に向上させることができる。
【００４７】
第七の発明に係るギヤスピンドルによれば、歯表面に固体潤滑剤を焼成することにより、万一油が枯渇しても、固体潤滑剤で金属接触を防止することができ、内筒ギヤ部および外筒ギヤ部における歯面の焼付きを抑えることができる。よって、大きいトルクを伝達する場合にも歯面の焼付きが起こらないので、ギヤスピンドルにおける許容伝達トルクを更に向上させることができる。
【００４８】
第八の発明に係るギヤスピンドルによれば、スピンドル外筒の外表面を外部強制冷却することにより、接触部の温度上昇を抑制できるので、耐焼付き強度が向上する。
【００４９】
第九の発明に係るギヤスピンドルによれば、クラウニング加工に支障なく、首径を大きくすることにより、首部における捩り強度が増し、首部において破損する虞を低減することができる。
【００５０】
第十の発明に係る圧延機によれば、バックラッシ過大により噛み合いが悪くなることなく、許容歯元曲げ応力を超えて歯を折損させる虞なく、高速回転および大きい伝達トルクにも対応することができる。また、ギヤスピンドルのスピンドル内筒の首部における捩り応力が低減されるので、歯における破損の虞が低減すし、ギヤスピンドルの内筒ギヤ部および外筒ギヤ部の歯面における面圧が低減されるので、歯面における焼付きの虞が低減る。
【図面の簡単な説明】
【００５１】
【図１】本発明の実施例１に係る圧延機におけるギヤスピンドルとワークロールとの連結部を示す縦断面図である。
【図２】本発明の実施例１に係る圧延機の駆動系全体を示す概略図である。
【図３】本発明の実施例１に係るギヤスピンドルにおける内筒ギヤ部と外筒ギヤ部との嵌合部を示す縦断面図である。
【図４】本発明の実施例１に係るギヤスピンドルにおける内筒ギヤ部と外筒ギヤ部との嵌合部を示す縦断面図（図３におけるIV−IV矢視断面）である。
【図５Ａ】本発明の実施例１に係るギヤスピンドルにおいて、クラウニング半径が小さく歯幅が短い場合の内筒ギヤ部と外筒ギヤ部との接触部を示す説明図である。
【図５Ｂ】本発明の実施例１に係るギヤスピンドルにおいて、クラウニング半径が大きく歯幅が長い場合の内筒ギヤ部と外筒ギヤ部との接触部を示す説明図である。
【図６】本発明の実施例１に係るギヤスピンドルにおけるクラウニング半径および歯幅の設定範囲を示すグラフである。
【図７】本発明の実施例１に係るギヤスピンドルにおけるクラウニング半径および必要最低限の歯幅の設定範囲を示すグラフである。
【発明を実施するための形態】
【００５２】
前述したように、本発明に係るギヤスピンドルは、内筒ギヤ部における歯幅Ｂの歯に、歯幅方向に沿って中央が膨らんで両歯端が肉薄となるような半径Ｃｒのクラウニングを設け、歯幅Ｂとクラウニング半径Ｃｒとを、Ｃｒ＝１２００［ｍｍ］と、Ｃｒ＝４０００［ｍｍ］と、Ｂ＝０．０２７２×Ｃｒ＋２８［ｍｍ］と、Ｂ＝５９．０４×ｅｘｐ（０．０００５×Ｃｒ）［ｍｍ］と、Ｂ＝３２×Ｃｒ0.247［ｍｍ］とをグラフ化して囲んでなる範囲で設定する。
【００５３】
つまり、ギヤスピンドルの内筒ギヤ部における形状として、クラウニング半径Ｃｒを、従来よりも極めて大きい１２００［ｍｍ］乃至４０００［ｍｍ］とし、クラウニング半径Ｃｒに適した歯幅Ｂを、使用傾斜角と歯端における片当りの要素に基づく関数Ｂ＝０．０２７２×Ｃｒ＋２８［ｍｍ］と、歯元曲げ応力の要素に基づく関数Ｂ＝５９．０４×ｅｘｐ（０．０００５×Ｃｒ）［ｍｍ］と、バックラッシ量の要素に基づく関数Ｂ＝３２×Ｃｒ0.247［ｍｍ］とをグラフ化した関係から求めるようにするのである。
【００５４】
以下に、本発明に係るギヤスピンドルおよびそれを備えた圧延機の実施例について、添付図面を参照しながら詳細に説明する。もちろん、本発明は以下の実施例に限定されず、本発明の趣旨を逸脱しない範囲で、各種変更が可能であることは言うまでもない。
【実施例１】
【００５５】
本発明の実施例１に係るギヤスピンドルおよびそれを備えた圧延機について、図１乃至図７を参照して説明する。
【００５６】
図２に示すように、本実施例の圧延機１は、被圧延材を圧延するための上下一対のワークロール２と、上下一対のワークロール２とそれぞれ独立して連結し、上下一対のワークロール２へそれぞれ独立して回転動力を伝達する上下一対のギヤスピンドル３と、上下一対のギヤスピンドル３と連結し、回転動力を所定の回転数に変速すると共に、変速した回転動力を上下一対のギヤスピンドル３へそれぞれ分配する変速機４と、変速機４と連結し、変速機４へ回転動力を伝達するギヤカップリング５と、ギヤカップリング５と連結し、ギヤカップリング５へ回転動力を供給する電動機６とを備える。
【００５７】
ギヤスピンドル３は、ギヤスピンドル３の中間部に配置された中間軸１０と、中間軸１０の一端側に設けられ中間軸１０とワークロール２とを連結するスピンドル内筒１２およびスピンドル外筒２０と、中間軸１０の他端側に設けられ中間軸１０と変速機４とを連結するスピンドル内筒１３およびスピンドル外筒３０とから成る。
【００５８】
図１に示すように、スピンドル内筒１２の一端側に設けた内筒ギヤ部４０（外歯）とスピンドル外筒２０の一端側に設けた外筒ギヤ部５０（内歯）とが嵌合し、スピンドル外筒２０の他端側に設けた小判形状の断面を有する嵌合穴６０（以下、小判穴６０と呼ぶ）とワークロール２の端部に設けた小判形状の断面を有する嵌合突起７０（以下、ワークロール小判部７０と呼ぶ）とが嵌合する。
【００５９】
本実施例のギヤスピンドル３は、超高抗張力鋼を圧延することができるように、最適条件下で、許容伝達トルクＴaの強度指数として、
Ｔ／Ｄ3≦０．８〜１．０[ｔｏｎ／ｍ2]
を達成する、従来（Ｔ／Ｄ3≦０．４[ｔｏｎ／ｍ2]）よりも優れた約二倍の強度を有する。ここで、Ｔはギヤスピンドル３を介してワークロール２へ伝達する伝達トルク[ｔｏｎ・ｍ]、Ｄはスピンドル外筒２０におけるギヤスピンドル外径［ｍｍ］である。
【００６０】
ギヤスピンドル３の許容伝達トルクＴaは、ギヤスピンドル外径Ｄだけではなく後述する傾斜角θやクラウニング半径Ｃｒおよび歯幅Ｂなどにもよる。傾斜角θとギヤスピンドル外径Ｄは他要素によって決められ得る数値であり、その設定における自由度は低い。一方、クラウニング半径Ｃｒおよび歯幅Ｂは設計によって決められ得る数値であり、その設定における自由度は高い。よって、本実施例では、以下に示す数値設定の下で、後述するクラウニング半径Ｃｒと歯幅Ｂを最適に設定することにより、ギヤスピンドル３の許容伝達トルクＴaを従来よりも向上させる。
【００６１】
まず、本実施例のギヤスピンドル３およびそれを備えた圧延機１について説明する。
【００６２】
ワークロール２に連結される上下一対のギヤスピンドル３において、上下のスピンドル外筒２０が互いに干渉しないように、図１に示すように、ギヤスピンドル外径Ｄをワークロール径ＤWよりも僅かに小径とする。小径化したワークロール２を有する本実施例の圧延機１では、ギヤスピンドル外径ＤをＤ＝２２５［ｍｍ］〜３４０［ｍｍ］とする。
【００６３】
回転する構造体の、全長が長いものは全長の短いものに比較して振動を起こし易く、また、外径が細いものは外径が太いものに比較して振動を起こし易いことが知られている。一方、高抗張力鋼圧延用圧延機では、ギヤスピンドルを小径化して高速で回転駆動するので、径の面でも回転数の面でも、ギヤスピンドルは振動を起こし易くなる。よって、本実施例ではギヤスピンドル３の全長Ｌ1（図２）を極力短くする必要がある。
【００６４】
スピンドル外筒２０とワークロール２との嵌合においては、組付け組外し作業を可能にするためワークロール小判部７０とスピンドル外筒２０の小判穴６０との間に僅かな隙間を設けている。反面、この隙間によって、ギヤスピンドル３にガタ振動が起こることがある。ワークロール小判部７０と小判穴６０との嵌合長さＬ2に対し、小判穴６０の開端部６１から内筒ギヤ部４０の歯幅中心４１までの距離である中心距離Ｌ3がある程度以上長すぎる場合、スピンドル外筒２０とワークロール２のガタ振動が発生し易くなる。よって、振動予防の面から、Ｌ2／Ｌ3は極力大きいことが好ましい。本実施例では、嵌合長さＬ2および中心距離Ｌ3を（Ｌ2／Ｌ3）≧０．６５とする。
【００６５】
なお、嵌合長さＬ2を必要以上に長くすることは、ワークロール２とギヤスピンドル３の双方の長さを長くすることになり、振動の面で不利となるので、嵌合長さＬ2は必要最小限に設定することが求められる。よって、嵌合長さＬ2が一定の場合、中心距離Ｌ3は短い方が良いと言える。
【００６６】
ここで、スピンドル外筒２０の小判穴６０と外筒ギヤ部５０を隔てる隔壁６２の厚さをＬ62、外筒ギヤ部５０および内筒ギヤ部４０に潤滑油を供給するために設けた潤滑油室６３の幅をＬ63、内筒ギヤ部４０の歯幅をＢとすると、Ｌ3＝Ｌ2＋Ｌ62＋Ｌ63＋Ｂ／２となる。歯幅Ｂを極力広く確保しつつ、Ｌ3を小さく保つには、Ｌ62とＬ63を最小にする必要がある。
【００６７】
もちろん、隔壁６２は、小判穴６０が圧延トルクによって楕円に変形するのに対し、外筒ギヤ部５０が楕円に歪まぬようにスピンドル外筒２０全体を支えている壁であり、ある程度以上の厚みＬ62は必要である。また、本実施例のスピンドル３は、高トルクかつ高回転数のため、歯部での発熱が大きい。しかし、小径化されたスピンドル３であるために潤滑油を封入する潤滑油室６２の内径が小さいので、潤滑油室６２内に潤滑油量を確保するにはある程度の長さＬ63は必要である。
【００６８】
以上より、歯幅Ｂは、ギヤスピンドルの強度を確保する上で重要な寸法であるが、その範囲で狭い方が良い。本実施例では、歯幅Ｂ≦２５０［ｍｍ］とする。
【００６９】
上下のワークロール２における小判部７０の上下間距離Ｌ4（図２）は、ワークロール２の使用最小径ＤWによって決まる。高抗張力鋼は変形抵抗が大きいので、ワークロール２を小径化している。そのため、上下のワークロール２におけるワークロール小判部７０の上下間距離Ｌ4（図２）は小さくなっている。
【００７０】
また、被圧延材である高抗張力鋼を圧延する際にワークロール２の回転駆動に必要となる必要伝達トルクＴrは大きいので、変速機４の図示しない変速分配歯車を大径化している。そのため、上下の変速分配歯車における変速分配歯車軸８０の上下間距離Ｌ5（図２）は大きくなっている。
【００７１】
図２に示すように、ギヤスピンドル３は、変速機４の変速分配歯車軸８０とワークロール２のワークロール小判部７０を連結するように設置され、スピンドル内筒１０がスピンドル外筒２０およびワークロール小判部７０に対して傾斜角θだけ傾斜した状態で使用される。
【００７２】
ところで、この傾斜角θの一因を成す変速機４の上下出力軸間距離Ｌ5（図２）は、必要伝達トルクＴrとその他の条件により決められるもので、設備により異なる。また、上下ワークロール２の小判部７０の上下間距離Ｌ4は、被圧延材の設定板厚などの圧延条件やワークロール２の使用に伴う摩耗や研磨などによって変化する。
【００７３】
よって、ギヤスピンドル３の傾斜角θは、設備の仕様により異なると共に、使用中にも変化するので、ギヤスピンドル３としては、これらを勘案の上、ある程度の範囲の傾斜角θが許容される必要がある。本実施例では、スピンドル内筒１２とスピンドル外筒２０との間の傾斜角θを０．６°≦θ≦１．６°としている。
【００７４】
傾斜角θを持つギヤスピンドル３における許容伝達トルクＴaは、常に内筒ギヤ部４０および外筒ギヤ部５０における全ての歯が接して伝達されるのではなく、瞬間毎には内筒ギヤ部４０および外筒ギヤ部５０におけるある割合の歯だけが接して伝達される。傾斜角θが大きければ、瞬間毎に伝達トルクＴの伝達に寄与する歯の数は更に少なくなる。
【００７５】
本実施例のような高抗張力鋼圧延用ギヤスピンドルは、必要伝達トルクＴrが非常に大きいので、極力多くの歯で負荷を分担する必要があるので、傾斜角θは小さい方が好ましい。しかし、高抗張力鋼圧延用圧延機の場合、ロール径は圧延荷重の制限で通常より細くなり、一方、変速機は高トルク伝達用に大型化するので、相乗効果として変速機の軸心高さＬ5とロール軸心高さＬ4の差（Ｌ5−Ｌ4）が大きくなる傾向にある。更に、小径ワークロールで生産性を上げるため高速回転するので、スピンドル３の長さＬ1を極力短くする必要がある。これら二つの理由により、ｔａｎθ≒（Ｌ5−Ｌ4）／Ｌ1で示す圧延機１におけるギヤスピンドル３の傾斜角θはある程度大きくならざるを得ない。
【００７６】
このような背景に基づき、近年、前述の圧延設備の駆動機（特許）のごとく、変速機４の上下出力軸間距離Ｌ5を小さくする開発が行われてきた結果、高抗張力鋼圧延用ギヤスピンドルの使用条件として傾斜角θをθ≦１．６°にできるようになってきた。傾斜角θの下限については、変速機の仕様が設備により異なることやロール径が使用中に変化することを加味しても０．６°≦θとすれば十分である。よって、高抗張力鋼圧延用ギヤスピンドルの傾斜角θの範囲は、０．６°≦θ≦１．６°が妥当である。
【００７７】
スピンドル内筒１０とスピンドル外筒２０との傾斜角θを許容するように、図３に示すように、内筒ギヤ部４０の歯先４３をピッチ円において曲率半径Ｒとなるように歯幅方向に沿って湾曲する円弧形状と共に、更に図４に示すように、内筒ギヤ部４０における歯端４４の歯面と外筒ギヤ部５０の歯面５１との片当りを避けるために、内筒ギヤ部４０の歯に歯幅方向に沿って中央が膨らんで両歯端４４が肉薄となるように曲率半径Ｃｒのクラウニングを設定する。歯先半径Ｒとクラウニング半径Ｃｒとは、以下の関係にある。
【００７８】
Ｒ＝Ｃｒ×ｔａｎα［ｍｍ］                     ・・・（１）
【００７９】
ここでαは内筒ギヤ部４０における圧力角であり、本実施例では圧力角α＝２５°としている。
【００８０】
また、本実施例では、内筒ギヤ部４０および外筒ギヤ部５０における歯の大きさを示すモジュールＭｎをモジュールＭｎ＝５［ｍｍ］〜１０［ｍｍ］とする。
【００８１】
上述した設定に加え、本実施例の圧延機１に備えるギヤスピンドル３における内筒ギヤ部４０のクラウニング半径Ｃｒと歯幅Ｂとの設定について以下に説明する。
【００８２】
図４に示すように、内筒ギヤ部４０の歯にクラウニングを設定することで、内筒ギヤ部４０は外筒ギヤ部５０の歯面５１に対して歯端部４４において片当たりすることなく、歯面４２において弾性変形を伴って接触する。また、内筒ギヤ部４０と外筒ギヤ部５０とは、ギヤスピンドル３の回転中に、常に同じ箇所で接触しているわけではなく、接触する箇所を移動させながら接触している。つまり、内筒ギヤ部４０と外筒ギヤ部５０との接触部は、瞬間毎に異なる位置にある。
【００８３】
図５Ａおよび図５Ｂに示すように、瞬間の接触部が一端側に最も近づく接触部９０ａ（以下、最端接触部９０ａと呼ぶ）と瞬間の接触部が他端側に最も近づく接触部９０ｂ（以下、最端接触部９０ｂと呼ぶ）との間を、一回転に一往復の周期で接触部を移動させながら内筒ギヤ部４０と外筒ギヤ部５０とは接触する。ただし、内筒ギヤ部４０と外筒ギヤ部５０との接触部が歯幅中心４１に近づくと、内筒ギヤ部４０の歯面４２と外筒ギヤ部５０の歯面５１とが離れ、接触しない場合もある。
【００８４】
クラウニング半径Ｃｒが小さい場合には、図５Ａに示すように、最端接触部９０ａと９０ｂとの間の距離は短く、内筒ギヤ部４０の歯面４２と外筒ギヤ部５０の歯面５１とが接触し得る範囲（以下、接触範囲Ｓと呼ぶ）は狭い。また、瞬間毎の接触部（図５Ａにおいては９０ａ）の面積は小さいので、瞬間毎の接触部における面圧Ｐは大きい。
【００８５】
一方、クラウニング半径Ｃｒが大きい場合には、図５Ｂに示すように、最端接触部９０ａと９０ｂとの間の距離は長く、接触範囲Ｓは広い。また、瞬間毎の接触部（図５Ｂにおいては９０ａ）の面積は大きいので、瞬間毎の接触部における面圧Ｐは小さい。
【００８６】
つまり、クラウニング半径Ｃｒを小さく設定すれば、接触範囲Ｓは狭くなるので、歯幅Ｂを小さく設定することができ、クラウニング半径Ｃｒを大きく設定すれば、接触範囲Ｓは広くなるので、歯幅Ｂを大きく設定しなければならない。内筒ギヤ部４０において大きいクラウニング半径Ｃｒに対して歯幅Ｂを小さく設定している場合には、歯端４４が接触範囲Ｓ内となり、歯端４４で片当りを起こすことによる歯の折損の虞がある。そこで、接触範囲Ｓが歯端４４に及ばないように、クラウニング半径Ｃｒに対する必要最低限の歯幅Ｂ（この場合の歯幅をＢ1と表す）を下式（２）に基づいて設定する。
【００８７】
Ｂ1＝０．０２７２×Ｃｒ＋２８［ｍｍ］          ・・・（２）
【００８８】
この式（２）は、傾斜角θ等によって異なるが、図６に示すように、前述した数値設定（傾斜角θ＝０．６°〜１．６°）の範囲においてクラウニング半径Ｃｒに対して、歯端４４における片当りを起こす虞のない必要最低限の歯幅Ｂをプロットして近似した式（ギヤスピンドル３の数値設定として傾斜角θ＝０．６°の場合に相当する）である。
【００８９】
クラウニング半径Ｃｒに対する歯幅Ｂを式（２）よりも小さく設定すると、歯端４４で片当りを起こし、歯に折損の虞が生じる。よって、歯端４４で片当りを起こすことによる歯の折損の虞をなくすため、クラウニング半径Ｃｒに対する歯幅Ｂを式（２）よりも大きく設定する。つまり、クラウニング半径Ｃｒに対する歯幅ＢをＢ≧０．０２７２×Ｃｒ＋２８［ｍｍ］とする。
【００９０】
クラウニング半径Ｃｒを大きくすると、接触部９０ａの形状は歯幅方向に延びて長くなる。接触部９０ａへ働く作用力を歯面４２から歯底４５を経て他へ伝達する力の経路となる歯元における有効歯幅Ｂｈも長くなるので、歯元曲げ応力σは小さくなる。
【００９１】
また、構造上、外歯である内筒ギヤ部４０の歯元に対し、内歯である外筒ギヤ部５０の歯元は厚いので、外筒ギヤ部５０は内筒ギヤ部４０よりも強い。よって、ギヤスピンドルの歯元曲げ強度として弱い方の内筒ギヤ部４０の強度で示す。
【００９２】
本実施例では、内筒ギヤ部４０および外筒ギヤ部５０における歯が折損する虞のない許容値として許容歯元曲げ応力σaをσa＝３９[ｋｇ／ｍｍ2]と設定し、クラウニング半径Ｃｒに対して、許容歯元曲げ応力σaとなる歯幅Ｂ（この場合の歯幅をＢ2と表す）を下式（３）に基づいて設定する。
【００９３】
Ｂ2＝５９．０４×ｅｘｐ（０．０００５×Ｃｒ）［ｍｍ］ ・・・（３）
【００９４】
この式（３）は、前述した数値設定の範囲において、図６に示すように、任意の傾斜角θに対して歯元曲げ応力σがσ＝３９[ｋｇ／ｍｍ2]となるクラウニング半径Ｃｒと、その条件において歯端４４で片当りを起こす虞のない歯幅Ｂとをプロットして近似した式である。
【００９５】
歯元曲げ応力σを決める主要パラメータは、トルクＴ、傾斜角θ、ギヤスピンドル外径Ｄ、有効歯幅Ｂｈであり、下式（４）と考えられている。
【００９６】
σ∝Ｔ×ｆ（θ）／（Ｄ2×Ｂｈ）                       ・・・（４）
【００９７】
ここで、Ｂｈは有効歯幅Ｂｈ＝ｆ（Ｃｒ、Ｔ）であり、クラウニング半径Ｃｒと負荷トルクＴに依存する。
【００９８】
外的要因で決定される任意の傾斜角θが与えられたとき、式（４）により歯元曲げ応力σを許容値σa以下に保つ許容最小限のクラウニング半径Ｃｒが決まり、併せて式（３）により許容最小限のクラウニング半径Ｃｒに最適な最小限の歯幅Ｂが決まる。ここで、クラウニング半径Ｃｒを必要最小限以下の値に設定した場合に、それを補完すべく歯幅Ｂを最適な値よりも大きい値に設定しても、強度に資することはなく、歯元曲げ応力σは許容値σaを超え、歯は折損の虞がある。
【００９９】
傾斜角θが与えられたとき、式（３）の条件において、クラウニング半径Ｃｒと歯幅Ｂの組み合わせを選定すると、許容最小限のクラウニング半径Ｃｒと最小限の歯幅Ｂを得ることができる。よって、クラウニング半径Ｃｒを許容最小限の値以上に設定し、歯幅Ｂをクラウニング半径Ｃｒが与えられたときに片当りを生じない最小限の値に設定する。これを数式で表せば下式となる。
Ｂ≦５９．０４×ｅｘｐ（０．０００５×Ｃｒ）［ｍｍ］
【０１００】
なお、式（３）は、歯端４４で片当りを起こすことによる歯の折損の虞がない最小限の歯幅Ｂに運転時の突発的最大負荷などを考慮した設定（最小限の歯幅Ｂにおける両歯端４４から各２０［ｍｍ］を確保した設定）で算出して成る。
【０１０１】
また、内筒ギヤ部４０および外筒ギヤ部５０における接触部の面圧Ｐは、内筒ギヤ部４０の歯面４２および外筒ギヤ部５０の歯面５１における焼付きに大きく影響している。面圧Ｐが大きい場合には焼付きの虞が増大し、面圧Ｐが小さい場合には焼付きの虞が低減する。よって、前述したように、クラウニング半径Ｃｒを大きくすると、接触部の面圧Ｐは小さくなるので、内筒ギヤ部４０の歯面４２および外筒ギヤ部５０の歯面５１における焼付きの虞を低減させることができる。
【０１０２】
なお、超高抗張力鋼圧延用ギヤスピンドルに要求されるような高伝達トルク容量、特にＴ／Ｄ3≦０．８〜１．０を満たすには、クラウニング半径Ｃｒがある一定以上の値でなければ成立しない。よって、図６に示すように、下限値として最小クラウニング半径Ｃｒ1をＣｒ1＝１２００［ｍｍ］と設定する。
【０１０３】
クラウニング半径Ｃｒを最小クラウニング半径Ｃｒ1よりも小さく設定すると、ギヤスピンドル３は傾斜角θが小さく且つ必要伝達トルクＴrが小さい場合にしか対応できなくなる。よって、傾斜角θが大きい場合や必要伝達トルクＴrが大きい場合にも対応できるように、クラウニング半径ＣｒをＣｒ1よりも大きく設定する。つまり、クラウニング半径ＣｒをＣｒ≧１２００［ｍｍ］とする。
【０１０４】
ギヤスピンドル３は内筒ギヤ部４０と外筒ギヤ部５０とが噛み合って回転するが、ギヤスピンドル３を傾斜角θ＝０．６°〜１．６°で両歯が互いに干渉することなく円滑に回転するには、クラウニングを設定すると共に、歯の隙間であるバックラッシを設定する。バックラッシ量ＢＬが極端に多い場合には、歯の遊びが多くなり、振動の原因となる。
【０１０５】
本実施例では、有害な振動を起こさないための許容最大バックラッシ量ＢＬとして、モジュールＭｎに依存する許容値を下式（４）に基づいて設定する。ただし、説明を容易にするために、ここでは加工誤差や経年変化によるバックラッシ変動は考慮しない。
【０１０６】
ＢＬ≦（１＋０．１×Ｍｎ）［ｍｍ］                    ・・・（５）
【０１０７】
また、前述した数値設定は、傾斜角θ＝０．６°〜１．６°であるので、円滑に回転するために必要なバックラッシ量ＢＬはギヤスピンドル３の傾斜角θおよびクラウニング半径Ｃｒにもよる。傾斜角θが大きい場合には大きいバックラッシ量ＢＬが必要であり、クラウニング半径Ｃｒが大きい場合にも大きいバックラッシ量ＢＬが必要である。また、クラウニング半径Ｃｒが大きくなると必要歯幅Ｂも大きくなる。そこで、クラウニング半径Ｃｒに対して、バックラッシ量ＢＬが式（５）による許容値となる歯幅Ｂ（この場合の歯幅をＢ3と表す）を下式（６）に基づいて設定する。
【０１０８】
Ｂ3＝３２×Ｃｒ0.247      ［ｍｍ］                           ・・・（６）
【０１０９】
この式（６）は、前述した数値設定の範囲において、図６に示すように、任意の傾斜角θに対してバックラッシ量ＢＬが式（５）による許容値となるクラウニング半径Ｃｒと、その条件において歯端で片当りを起こす虞のない歯幅Ｂとをプロットして近似した式である。
【０１１０】
なお、式（６）は、歯端４４で片当りを起こすことによる歯の折損の虞がない最小限の歯幅Ｂに運転時の突発的最大負荷などを考慮した設定（最小限の歯幅Ｂにおける両歯端４４から各２０［ｍｍ］を確保した設定）で算出して成る。
【０１１１】
外的要因で決定される任意の傾斜角θが与えられたとき、クラウニング半径Ｃｒを大きくすると、片当りを防止するために必要な歯幅Ｂが大きくなると共に、バックラッシ量ＢＬも大きくなる。
【０１１２】
傾斜角θが与えられたとき、式（６）の条件において、クラウニング半径Ｃｒと歯幅Ｂとの組み合わせを選定すると、許容最大のクラウニング半径Ｃｒと最小歯幅Ｂを得ることができる。よって、クラウニング半径Ｃｒを許容最大の値以下に設定し、歯幅Ｂをクラウニング半径Ｃｒが与えられたときに片当りを生じない最小の値に設定する。これを数式で表せば下式となる。
Ｂ≦３２×Ｃｒ0.247［ｍｍ］
【０１１３】
次に、クラウニング半径Ｃｒを大きくすることのデメリットについて述べる。
内筒ギヤ部４０における歯先４３を歯幅方向に沿って円弧形状としているので、歯底４５における歯底円の大きさ（以下、歯底円直径ＤBと呼ぶ）は歯幅方向に沿って変化し、歯幅中心４１から歯端４４へ向かうに従って小さくなる。歯先半径Ｒとクラウニング半径Ｃｒは、前述した式（１）の関係にあるので、クラウニング半径Ｃｒが小さい場合には歯先半径Ｒは小さく、クラウニング半径Ｃｒが大きい場合には歯先半径Ｒは大きい。よって、同一の歯幅Ｂにおいては、クラウニング半径Ｃｒを大きくすると、歯先半径Ｒは大きくなるので歯端４４における歯底直径ＤBは大きくなる。
【０１１４】
一方、クラウニング半径Ｃｒを大きくするには、前述したように歯端４４における片当りを起こす虞のない歯幅Ｂを確保するため、歯幅Ｂを大きくする必要があり、同一のクラウニング半径Ｃｒおよび同一の歯先半径Ｒにおいては、歯幅Ｂを大きくすると、歯端４４における歯底直径ＤBは小さくなる。
【０１１５】
このように、クラウニング半径Ｃｒを大きくすると、歯底直径ＤBが大きくなる因子と小さくなる因子があるが、結果としては歯底直径ＤBが小さくなる。また、スピンドル内筒１０の首部１１における首径ｄは、製作加工上の問題で歯底直径ＤBよりも小さくする必要がある。つまり、クラウニング半径Ｃｒを大きくすると、首部１１における首径ｄが小さくなり、首部１１における捩り応力が上昇する。
【０１１６】
もう一つのデメリットは、スピンドル首部１１における曲げ応力の上昇である。
つまり、スピンドル回転トルクによりスピンドル３における内筒ギヤ部４０の歯面４２に作用する回転力Ｆは、クラウニング半径Ｃｒの大小に係わらず一定である。一方、内筒ギヤ部４０には多くの歯が設けられているが、図５Ａおよび図５Ｂに示すように、回転力Ｆを最端接触部９０ａで受けている歯の略１８０°反対側の歯は最端接触部９０ｂで回転力Ｆを受けているので、この回転力Ｆが内筒１２の首部１１には曲げモーメントとして作用する。
【０１１７】
ここで、最端接触部９０ａ、９０ｂの距離をＳ1としたとき、このＳ1が曲げモーメント長さであり、クラウニング半径Ｃｒが小さい場合よりクラウニング半径Ｃｒが大きい方が最端接触部９０ａ、９０ｂの距離Ｓ1は長い。よって、スピンドル首部には、曲げモーメントをＭとしたときＭ≒Ｆ×Ｓ1が作用する。つまり、クラウニング半径Ｃｒを大きくすると、首部１１における曲げモーメントが大きくなり首部１１における曲げ応力が上昇する。
【０１１８】
以上の二点により、クラウニング半径Ｃｒの過度な増大により、首部１１の曲げと捩りの合成応力が大きくなり、スピンドル３の強度低下を起こさぬよう、図６に示すように、上限値として最大クラウニング半径Ｃｒ2をＣｒ2＝４０００［ｍｍ］と設定する。
【０１１９】
クラウニング半径Ｃｒを最大クラウニング半径Ｃｒ2よりも大きく設定すると、首部１１における捩り応力と曲げ応力が共に上昇するので、スピンドル内筒１０の首部１１において破損する虞が生じる。よって、首部１１における捩り応力と曲げ応力の合力による応力の過大による首部１１の破損の虞をなくすため、クラウニング半径Ｃを最大クラウニング半径Ｃｒ2よりも小さく設定する。つまり、クラウニング半径ＣｒをＣｒ≦４０００［ｍｍ］とする。
【０１２０】
次に、上述したようにクラウニング半径Ｃｒおよび歯幅Ｂが設定されたギヤスピンドル３には、更に以下の処理が施され、また形状の特定がなされる。これにより、内筒ギヤ部４０の歯面４２および外筒ギヤ部５０の歯面５１における焼付きの虞がより低減され、スピンドル内筒１０の強度が高くなるので、ギヤスピンドル３は大きな伝達トルクＴをより安定して伝達することが可能となる。
【０１２１】
本実施例のギヤスピンドル３に対する必要伝達トルクＴrが大きい場合には、内筒ギヤ部４０の歯面４２および外筒ギヤ部５０の歯面５１に掛かる面圧Ｐは大きく、歯面４２、５１における熱量は高い。また、ワークロール２の小径化に伴うギヤスピンドル３の小径化によって、ギヤスピンドル３における内筒ギヤ部４０および外筒ギヤ部５０に封入できる潤滑油は少ない。よって、内筒ギヤ部４０の歯面４２および外筒ギヤ部５０の歯面５１が焼付く虞を更に低減させるため、摩擦熱による昇温を抑える効果のある処理を施すことが好ましい。
【０１２２】
歯面４２、５１が焼付く原因は、歯面４２、５１が油膜切れを起こし、金属接触することによる発熱と、その発熱の冷却不足である。この発熱の対策としては、面圧Ｐの低減、滑り速度Ｖの低下、油膜保持能力の増強、固体潤滑剤の設定などが挙げられ、冷却力の対策としては、外部強制冷却などが挙げられる。面圧Ｐの低減については、前述したクラウニングの設定による効果が期待される。滑り速度Ｖの低下については、圧延速度や傾斜角など圧延条件に依存するため、設定の自由度が低い。そこで、油膜保持能力の増強および固体潤滑剤の設定によって、内筒ギヤ部４０および外筒ギヤ部５０における摩擦熱の発生を抑えると共に、外部強制冷却によって内筒１２および外筒２０の冷却を促して歯面４２、５１の昇温を抑える。
【０１２３】
まず、内筒ギヤ部４０および外筒ギヤ部５０の歯面４２、５１にショットブラスト加工を施す。ショットブラスト加工は、歯面４２、５１にデンプル状の微細窪みを生成し、その窪みに油を溜めることで油膜切れを防止する効果がある。
【０１２４】
次に、内筒ギヤ部４０および外筒ギヤ部５０の歯面４２、５１にリン酸マンガン皮膜処理を施す。リン酸マンガン皮膜は、多孔質な結晶体のため、皮膜に油の保持力があると共に、初期馴染み性良好なため、摩擦熱の発生を抑える効果がある。
【０１２５】
次に、内筒ギヤ部４０および外筒ギヤ部５０の歯面４２、５１に二硫化モリブデン焼成を施す。二硫化モリブデン焼成は、歯面４２、５１に固体潤滑剤を焼成することにより、万一油が枯渇しても、固体潤滑剤で金属接触を防止する効果がある。
【０１２６】
次に、ワークロール２側のスピンドル外筒２０および変速機４側のスピンドル外筒３０に冷却用流体を噴き付け、スピンドル外筒２０、３０およびスピンドル内筒１２、１３の各歯面ならびに歯面間の潤滑油を強制冷却する。
【０１２７】
内筒ギヤ部４０および外筒ギヤ部５０に設けた潤滑油室６３はシール部材６４によって外部と隔離され、高粘度の潤滑油が封入されている。しかし、潤滑油は高温になるに従い粘度が低下し、内筒ギヤ部４０および外筒ギヤ部５０において油膜切れが生じやすくなる。また、ギヤスピンドル３を高温状態で長期間使用すると潤滑油の劣化により潤滑性が低下する。よって、外部からギヤスピンドル３を強制冷却することは、油膜切れ防止および潤滑油の劣化防止に非常に効果がある。
【０１２８】
冷却用流体としては、圧延用ロールクーラントや変速機潤滑用ギヤ油などが挙げられる。両流体とも冷却効果は十分であるが、ギヤスピンドル３に使用する高粘度の潤滑油に比べ油膜強度が極めて弱いので、内筒ギヤ部４０および外筒ギヤ部５０における歯面の潤滑剤としては不向きである。よって、上述のごとく、潤滑油室６３をシール部材６４によって外部と隔離することで、冷却用流体の潤滑油室６３内への混入を防止すると共に、潤滑油の外部への流出を防止している。
【０１２９】
圧延用ロールクーラントは、被圧延材とワークロール２との間の摩擦係数の低下やワークロール２の冷却を目的として、ワークロール２の近傍に多量に噴射されている。また、変速機潤滑用ギヤ油は、変速機４の歯車や軸受の摩擦係数の低下や冷却を目的に、変速機４の内部に多量に噴射されている。よって、これらの流体をギヤスピンドル３の冷却に採用することは、比較的容易であると共に、大きな効果が期待できる。
【０１３０】
ギヤスピンドルの最弱部は内筒ギヤ部なので、前述したように、内筒ギヤ部４０におけるクラウニング半径Ｃｒおよび歯幅Ｂを最適に設定することによって、内筒ギヤ部４０の強度を向上させ、ギヤスピンドル３としての許容伝達トルクＴaを向上させた。
【０１３１】
しかし、本発明により内筒ギヤ部４０の強度が向上すると、内筒ギヤ部４０がギヤスピンドル３の最弱部ではなくなる可能性がある。つまり、内筒ギヤ部４０の強度を向上させても、内筒ギヤ部４０以外の部分の強度が不十分であれば、ギヤスピンドル３の許容伝達トルクＴaを十分に大きくすることはできない。よって、ギヤスピンドル３としての許容伝達トルクＴaの向上には、その他の部位を含めて全体的な強度を向上させることが不可欠である。
【０１３２】
内筒ギヤ部４０を除くギヤスピンドル３の強度は、外径がギヤスピンドル３のうちで最小径となる首部１１における首径ｄに依存する。首径ｄが大きければ許容伝達トルクＴaは大きくなり、首径ｄが小さければ許容伝達トルクＴaは小さくなる。
【０１３３】
スピンドル内筒１０の首部１１における首径ｄは、製作加工上の制約で歯底直径ＤBよりも小さい必要がある。首径ｄを大きくし、首部１１における破損の虞をなくすためには、歯底直径ＤBと首径ｄの段差を、製作加工に支障のない範囲で極力小さくすることが効果的である。本実施例では、クラウニング等の加工に支障のないギヤスピンドル３における首径ｄの下限値を下式（７）に基づいて設定する。
【０１３４】
【数２】
0005575213.tif 000003
【０１３５】
従来のギヤスピンドル（例えば、特許文献１）では首径／ピッチ円直径＝ｄ／ＤP≒０．７８であるのに対し、本実施例のギヤスピンドル３では首径ｄを式（７）における下限値に設定することで首径／ピッチ円直径＝ｄ／ＤP≒０．８９となる。捩り強度や曲げ強度は直径の三乗に比例するので、本実施例のギヤスピンドル３における強度は、従来のギヤスピンドルにおける強度に対して
（０．８９）3／（０．７８）3＝１．４９≒１５０％
となる。つまり、ギヤスピンドル３における首径ｄを式（７）の範囲で設定することで、首部１１における捩り強度を従来に対し１５０％程度向上させることができる。
【０１３６】
なお、本実施例のギヤスピンドル３には、首部１１の機械的強度を向上させるため、スピンドル内筒１０における首径ｄとなる範囲に浸炭焼入れ処理を施している。浸炭処理は標準熱処理である調質処理に比べ強度が約１５０％程度向上する。この浸炭処理と、前述した首径ｄの式（７）に基づく形状の特定とを合わせれば、首部１１における捩り強度や曲げ強度が１５０％×１５０％＝２２５％となり、従来に比べ２倍以上に向上させることができる。
【０１３７】
次に、ギヤスピンドル３のクラウニング半径Ｃｒおよび歯幅Ｂの設定および作用について、具体例を用いて詳細に説明する。なお、数値設定Ａとして、モジュールＭｎ＝１０［ｍｍ］、傾斜角θ＝１．２°とする。
【０１３８】
数値設定Ａにおいて、クラウニング半径Ｃｒに対して、歯端４４における片当りを起こす虞のない歯幅Ｂは歯幅Ｂ4（図６）である。クラウニング半径Ｃｒに対する歯幅ＢをＢ4線よりも小さく設定すると、歯端４４で片当りを起こすことによる歯の折損の虞が生ずる。よって、クラウニング半径Ｃｒに対する歯幅ＢをＢ4線以上（図６中のＢ4線から上部）で設定する。
【０１３９】
クラウニング半径Ｃｒに対する歯幅ＢがＢ4線以上となる点Ｑ1と点Ｑ2の設定を比較する。点Ｑ1は、Ｂ4線上の点Ｑ2に対して、クラウニング半径Ｃｒを保ったまま歯幅Ｂだけを広げた設定である。点Ｑ1と点Ｑ2の設定においては、クラウニング半径Ｃｒの設定が同値であるので、有効歯幅Ｂｈ＝ｆ（Ｃｒ、Ｔ）も同等である。よって、点Ｑ1の設定は、点Ｑ2の設定に対して、歯元曲げ強度は向上せず、首径ｄは歯幅Ｂを広げた分だけ細くなるので強度が低下する。つまり、歯幅ＢをＢ4線よりも上側に設定しても、歯元曲げ強度に資することはなく、ギヤスピンドル３としては、首部１１の強度低下や製造コストなどの観点から、歯幅Ｂを必要最小とするＢ4線上で設定することが好ましい。
【０１４０】
次に、クラウニング半径Ｃｒに対して許容歯元曲げ応力σ＝３９[ｋｇ／ｍｍ2]となるのは歯幅Ｂ2である。Ｂ4線上においてクラウニング半径ＣｒがＢ2線より下回るような点Ｑ3に設定すると、歯元強度は不足する。そこで、クラウニング半径不足を補う目的で歯幅Ｂを増やして点Ｑ4に設定しても、歯幅Ｂの増大は強度に資することはなく、逆に若干なりとも首径強度が低下する。よって、点Ｑ3も点Ｑ4も両方とも、歯元強度は不足しており、内筒ギヤ部４０および外筒ギヤ部５０における歯に折損の虞がある。よって、クラウニング半径Ｃｒに対する歯幅Ｂを、Ｂ2線とＢ4線とが交わる点Ｑ5よりも大きいクラウニング半径Ｃｒおよび歯幅Ｂ（図６中の点Ｑ5から右側）に設定する。
【０１４１】
次に、クラウニング半径Ｃｒに対してバックラッシ量ＢＬが最大値（数値設定Ａにおいては、ＢＬ＝１＋０．１×Ｍｎ＝２［ｍｍ］）となるのは歯幅Ｂ3である。クラウニング半径Ｃｒに対する歯幅Ｂを、Ｂ3線とＢ4線とが交わる点Ｑ6よりも小さいクラウニング半径Ｃｒおよび歯幅Ｂ（図６中の点Ｑ6から左側）に設定する。クラウニング半径Ｃｒに対する歯幅ＢをＢ3線よりも大きく設定する（例えば、点Ｑ7とする）と、バックラッシ量ＢＬの過大により、ギヤスピンドル３の振動が大きくなり、被圧延材の板厚変動や平坦度悪化など圧延性能の悪化をもたらす虞がある。
【０１４２】
以上のように、クラウニング半径Ｃｒおよび歯幅ＢをＢ4線上における点Ｑ5から点Ｑ6までの間で設定することによって、ギヤスピンドル３をバックラッシ過大により振動が発生することもなく、しかも許容歯元曲げ応力σａを超えて歯を折損させることもなく、従来よりも高速回転かつ大きい伝達トルクＴに対応することができる。
【０１４３】
なお、クラウニング半径Ｃｒおよび歯幅ＢをＢ4線上における点Ｑ5に近い設定とした場合には、ＢＬ量が小さくガタが小さいので、より高速回転に対応することができる。また、クラウニング半径Ｃｒおよび歯幅ＢをＢ4線上における点Ｑ6に近い設定とした場合には、クラウニング半径Ｃｒが大きいので、面圧Ｐが小さく歯元曲げ応力σも小さくなり、より大きい伝達トルクに対応することができる。なお、図６に示すように、Ｂ4線上における点Ｑ5と点Ｑ6との間での設定は、最大クラウニング半径Ｃｒ2よりも小さい設定であるので、首部１１の捩り応力と曲げ応力の合力よってギヤスピンドル３が破損することはない。
【０１４４】
本実施例では、説明の便宜上、ギヤスピンドル外径Ｄ、許容伝達トルクＴaの強度指数Ｔ／Ｄ3、歯幅Ｂ、傾斜角θ、モジュールＭｎとして個別の数値を使用して説明したが、本発明はこれらの各数値に限定されない。図６に示す曲線と直線Ｃｒ1、Ｂ2、Ｂ3、Ｃｒ2、Ｂ1に囲まれた領域のクラウニング半径Ｃｒと歯幅Ｂの組み合わせという特質を活かし、ギヤスピンドルの強度を向上させることにより、従来よりも更にワークロールおよびギヤスピンドルを小径化することができる。
【０１４５】
また、主に高抗張力鋼圧延に適したギヤスピンドルとして紹介したが、本実施例に係るギヤスピンドルおよびそれを備える圧延機は、許容伝達トルク性能を向上させており、適用範囲が広い。よって、高抗張力鋼より硬度の低い圧延材や比較的高硬度な圧延材の圧延にも適する。
【実施例２】
【０１４６】
本実施例においては、クラウニング半径Ｃｒに対する歯幅Ｂの設定範囲である歯幅Ｂ2の式（３）および歯幅Ｂ3の式（６）は、歯端４４で片当りを起こすことによる歯の折損の虞がない必要最小限の歯幅Ｂに運転時の突発的最大負荷などを考慮した設定（必要最小限の歯幅Ｂにおける両歯端４４から各２０［ｍｍ］を確保した設定）で算出して成る。
【０１４７】
この運転時の突発的最大負荷は、被圧延材の仕様、運転条件などに依存するものであり、全て一律のものではない。すなわち、突発的最大負荷を想定する必要のない場合には、歯幅Ｂを必要最小限まで更に狭くすることができる。
【０１４８】
そこで、図７に示すように、歯端４４で片当りを起こすことによる歯の折損の虞がない必要最小限の歯幅Ｂとして、歯幅Ｂ2の代わりに歯幅Ｂ20を下式（８）に基づいて設定する。
【０１４９】
Ｂ20＝１８×ｅｘｐ（０．００１×Ｃｒ）［ｍｍ］ ・・・（８）
【０１５０】
この式（８）は、前述した数値設定の範囲において上記条件を加味し、図７に示すように、任意の傾斜角θに対して歯元曲げ応力σが許容歯元曲げ応力σa（＝３９[ｋｇ／ｍｍ2]）となるクラウニング半径Ｃｒと、その条件において歯端で片当りを起こす虞のない歯幅Ｂをプロットして近似した式である。
【０１５１】
外的要因で決定される任意の傾斜角θが与えられたとき、式（４）により歯元曲げ応力σを許容歯元曲げ応力σa以下に保つ必要最小限のクラウニング半径Ｃｒが決まり、併せて式（７）により許容最小限のクラウニング半径Ｃｒに最適な最小限の歯幅Ｂも決まる。ここで、クラウニング半径Ｃｒを必要最小限以下の値に設定した場合に、それを補完すべく歯幅Ｂを最適な値よりも大きい値に設定しても、強度に資することはなく、歯元曲げ応力σは許容歯元曲げ応力σaを超え、歯は折損の虞がある。
【０１５２】
傾斜角θが与えられたとき、式（８）の条件において、クラウニング半径Ｃｒと歯幅Ｂの組み合わせを選定すると、許容最小限のクラウニング半径Ｃｒと最小限の歯幅Ｂを得ることができる。よって、クラウニング半径Ｃｒを許容最小限の値以上に設定し、歯幅Ｂをクラウニング半径Ｃｒが与えられたときに片当りを生じない最小限の値に設定する。これを数式で表せば下式となる。
Ｂ≦１８×ｅｘｐ（０．００１×Ｃｒ）［ｍｍ］
【０１５３】
つまり、歯の許容伝達トルクＴaを減ずることなく、許容歯元曲げ応力σa（＝３９［ｋｇ／ｍｍ2］）を超えない、かつ式（３）による歯幅Ｂ2より狭い歯幅Ｂ20を設定することができる。
【０１５４】
このように歯幅Ｂをより狭く設定することにより、更なるコスト削減や軽量化およびコンパクト化を図ることができる。また、ギヤスピンドル３の中心距離Ｌ3（図１）および全長Ｌ1（図２）が小さくなるので、ギヤスピンドル３をより振動の起こし難いものとすることができる。
【０１５５】
また、図７に示すように、クラウニング半径Ｃｒに対して、バックラッシ量ＢＬが式（５）による許容値となる歯幅Ｂとして、歯幅Ｂ3の代わりに歯幅Ｂ30を下式（９）に基づいて設定する。
【０１５６】
Ｂ30＝１９×Ｃｒ0.292［ｍｍ］                         ・・・（９）
【０１５７】
この式（９）は、前述した数値設定の範囲において上記条件を加味し、図７に示すように、任意の傾斜角θに対してバックラッシ量ＢＬが式（５）による許容値となるクラウニング半径Ｃｒと、その条件において歯端で片当りを起こす虞のない歯幅Ｂをプロットした近似式である。
【０１５８】
外的要因で決定される任意の傾斜角θが与えられたとき、クラウニング半径Ｃｒを大きくすると、片当りを防止するために必要な歯幅Ｂが広くなると共に、バックラッシ量ＢＬを大きくなる。
【０１５９】
傾斜角θが与えられたとき、式（９）の条件において、クラウニング半径Ｃｒと歯幅Ｂの組み合わせを選定すると、許容最大限のクラウニング半径Ｃｒと最小限の歯幅Ｂを得ることができる。よって、クラウニング半径Ｃｒを許容最大限の値以下に設定し、歯幅Ｂをクラウニング半径Ｃｒが与えられたときに片当りを生じない最小限の値に設定する。これを数式で表せば下式となる。
Ｂ≦１８×ｅｘｐ（０．００１×Ｃｒ）［ｍｍ］
【０１６０】
本実施例では、説明の便宜上、ギヤスピンドル外径Ｄ、許容伝達トルクＴaの強度指数Ｔ／Ｄ3、歯幅Ｂ、傾斜角θ、モジュールＭｎとして個別の数値を使用して説明したが、本発明はこれらの各数値に限定されない。図７に示す曲線と直線Ｃｒ1、Ｂ20、Ｂ30、Ｃｒ2、Ｂ1に囲まれた領域のクラウニング半径Ｃｒと歯幅Ｂの組み合わせという特質を活かし、ギヤスピンドルの強度を向上させることにより、従来よりも更にワークロールおよびギヤスピンドルを小径化することができる。
【０１６１】
また、主に高抗張力鋼圧延に適したギヤスピンドルとして紹介したが、本実施例に係るギヤスピンドルおよびそれを備える圧延機は、許容伝達トルク性能を向上させており、適用範囲が広い。よって、高抗張力鋼より硬度の低い圧延材や比較的高硬度な圧延材の圧延にも適する。
【０１６２】
もちろん、ワークロールおよびギヤスピンドルの更なる小径化を伴わずに、圧延機として超高抗張力鋼を圧延するための十分な圧延荷重を掛けることが可能である場合には、本実施例に係るギヤスピンドルおよびそれを備える圧延機は許容伝達トルク性能を向上させているので、超高抗張力鋼を圧延することができる。
【符号の説明】
【０１６３】
１     圧延機
２     ワークロール
３     ギヤスピンドル
４     変速機
５     ギヤカップリング
６     電動機
１０   中間軸
１１   スピンドル内筒の首部
１２   スピンドル内筒（ワークロール側）
１３   スピンドル内筒（変速機側）
２０   スピンドル外筒（ワークロール側）
３０   スピンドル外筒（変速機側）
４０   内筒ギヤ部
４１   歯幅中心
４２   歯面
４３   歯先
４４   歯端
４５   歯底
５０   外筒ギヤ部
５１   歯面
６０   小判穴
６１   小判穴の開端部
６２   隔壁
６３   潤滑油室
６４   シール部材
７０   ワークロール小判部
８０   変速分配歯車軸
９０   接触部
Ｂ     歯幅
Ｃｒ   クラウニング半径
Ｒ     歯先半径
ＢＬ   バックラッシ量
Ｄ     ギヤスピンドル外径
ＤP    ピッチ円直径
ＤB    歯底直径
ＤW    ワークロール径
ｄ     首部直径
【図１】
0005575213.tif 000005
【図２】
0005575213.tif 000006
【図３】
0005575213.tif 000007
【図４】
0005575213.tif 000008
【図５Ａ】
0005575213.tif 000009
【図５Ｂ】
0005575213.tif 000010
【図６】
0005575213.tif 000011
【図７】
0005575213.tif 000012